(57)【要約】【課題】さまざまな方式を採用する操作パネルの内、大抵の操作パネルに対して使用者が直接触れずに操作することを可能とし、且つ使用者がより安心して使用できる抗菌性の高い操作パネル操作補助具を提供する。【解決手段】操作パネル操作補助具１は、使用者が操作パネルに直接触れずに操作パネルを操作するための操作パネル操作補助具であって、使用者が把持するための把持部１１、及び当該把持部１１の先端に繋がるパッド取付部１２を有する純銅製の本体１０と、導電性及び弾性を有し、本体１０のパッド取付部１２に固定される弾性パッド２０と、を備える。【選択図】図２
0003228275.tif 000002
【実用新案登録請求の範囲】
【請求項１】
使用者が操作パネルに直接触れずに前記操作パネルを操作するための操作パネル操作補助具であって、
前記使用者が把持するための把持部、及び当該把持部の先端に繋がるパッド取付部を有する純銅製の本体と、
導電性及び弾性を有し、前記本体の前記パッド取付部に固定される弾性パッドと、を備えることを特徴とする操作パネル操作補助具。
【請求項２】
前記本体の素材がタフピッチ銅であることを特徴とする請求項１に記載の操作パネル操作補助具。
【請求項３】
前記パッド取付部は、外周面にネジ山を有する突起であり、
前記弾性パッドは、中央貫通孔が形成されており、前記パッド取付部に前記中央貫通孔を嵌め込ませて固定されていることを特徴とする請求項１又は２に記載の操作パネル操作補助具。
【請求項４】
前記弾性パッドの先端面に対し前記本体の先端面が凹んでいることを特徴とする請求項３に記載の操作パネル操作補助具。
【請求項５】
前記弾性パッドは、軸方向に重ね合わされた第１弾性パッドと第２弾性パッドとを有することを特徴とする請求項３又は４に記載の操作パネル操作補助具。
【請求項６】
前記第２弾性パッドの先端面に対し前記本体の先端面が突出するとともに、前記第１弾性パッドの先端面に対し前記本体の先端面が凹んでいることを特徴とする請求項５に記載の操作パネル操作補助具。
【請求項７】
前記本体は、根元側の端部にストラップ取付部をさらに有することを特徴とする請求項１〜６のいずれか一項に記載の操作パネル操作補助具。
【考案の詳細な説明】
【技術分野】
【０００１】
本考案は、操作パネル操作補助具に関する。
【背景技術】
【０００２】
近年、画面に直接触れることにより、コンピュータ等の操作が行えるタッチパネルが日常生活に浸透してきている。このようなタッチパネルには、例えば、抵抗膜方式といった表面からの物理的力によって表面部材が撓むことで内部層同士を電気的な接触を検出する方式のものもあるが、例えば、表面型静電容量方式といった表層側に透明電極膜を敷き、指が表面に触れた際の静電容量の変化を検出する方式のものもある。そして、このような静電容量の変化を検出する方式にも使え、より確実かつ精密に入力をできるようにするという観点から、ペン形状で導電性を有する操作パネル操作補助具が提案されている（例えば、特許文献１参照）。
【０００３】
また、日常生活において、エレベータの操作パネル（操作ボタン）や銀行におけるＡＴＭ（Ａｕｔｏｍａｔｅｄ  Ｔｅｌｌｅｒ  Ｍａｃｈｉｎｅ）のタッチパネル等、不特定多数の者が触れる操作パネルを操作する機会が多い。そのような機会が多い中、２０２０年には新型コロナウイルス感染症（ＣＯＶＩＤ−１９）等の感染症が猛威を振るっていることもあって、できるだけ不特定多数の者が触れる操作パネルには直接触れずに、その操作パネルを操作したいという要望がある。
【先行技術文献】
【特許文献】
【０００４】
【特許文献１】特開２０１６−０３８８３５号公報
【考案の概要】
【考案が解決しようとする課題】
【０００５】
特許文献１に開示されているような従来の操作パネル操作補助具を用いれば、たとえ静電容量の変化を検出する方式のタッチパネルであっても入力することができるため、さまざまな方式を採用する操作パネルの内、大抵の操作パネルに対して使用者が直接触れずに操作することを可能とする。
【０００６】
しかしながら、特許文献１に開示されているような従来の操作パネル操作補助具では、特に感染症を引き起こすような菌やウイルスに対し、抗菌性や抗ウイルス性（以降においては、単に「抗菌性」と記載する。）を考慮したものにはなっていない。このため、不特定多数の者が触れる操作パネルには直接触れずに、その操作パネルをより安心して操作したいというさらなる要望がある。
【０００７】
そこで、本考案は、上記したさらなる要望を満たすべく、さまざまな方式を採用する操作パネルの内、大抵の操作パネルに対して使用者が直接触れずに操作することを可能とし、且つ使用者がより安心して使用できる抗菌性の高い操作パネル操作補助具を提供することを課題とする。
【課題を解決するための手段】
【０００８】
［１］本考案に係る操作パネル操作補助具は、使用者が操作パネルに直接触れずに操作パネルを操作するための操作パネル操作補助具であって、使用者が把持するための把持部、及び当該把持部の先端に繋がるパッド取付部を有する純銅製の本体と、導電性及び弾性を有し、本体のパッド取付部に固定される弾性パッドと、を備えることを特徴とする。
【０００９】
本考案に係る操作パネル操作補助具によれば、使用者が把持するための把持部、及び当該把持部の先端に繋がるパッド取付部を有する本体と、弾性を有し本体のパッド取付部に固定される弾性パッドとを備えるため、使用者が把持部を把持して先端のパッド取付部に固定される弾性パッドで操作パネルに触れて入力すればよいことから、操作パネルに対して使用者が直接触れずに操作することができる。
【００１０】
また、本考案に係る操作パネル操作補助具によれば、本体が導電性の良い純銅製であり、本体のパッド取付部に固定される弾性パッドが導電性を有し、本体と弾性パッドとは電気的に接続されている。このため、たとえ静電容量の変化を検出する方式のタッチパネルであっても入力することができるため、さまざまな方式を採用する操作パネルの内、大抵の操作パネルに対して使用者が直接触れずに操作することを可能とする。また、本考案に係る操作パネル操作補助具によれば、本体が抗菌性の高い純銅製であるため、使用者が特に直接触れる本体に菌やウイルスが付着したとしても感染性が短時間で不活化されるため、使用者はより安心して使用できる。
【００１１】
その結果、本考案に係る操作パネル操作補助具は、さまざまな方式を採用する操作パネルの内、大抵の操作パネルに対して使用者が直接触れずに操作することを可能とし、且つ使用者がより安心して使用できる抗菌性の高い操作パネル操作補助具となる。
【００１２】
［２］本考案の操作パネル操作補助具においては、本体の素材がタフピッチ銅であることが好ましい。
【００１３】
タフピッチ銅（Ｃ１１００）は、９９．９０％以上の純度を持ち抗菌性が高く、導電性が高いうえ、加工性が良く、外観特性も良好である。このように構成することで、自動旋盤加工により本体を形成しやすくなり、加工費を抑えながらも高級感のある操作パネル操作補助具にすることができる。
【００１４】
［３］本考案の操作パネル操作補助具においては、パッド取付部は、外周面にネジ山を有する突起であり、弾性パッドは、中央貫通孔が形成されており、パッド取付部に中央貫通孔を嵌め込ませて固定されていることが好ましい。
【００１５】
このように構成することで、突起であるパッド取付部の表面に比較的容易に凹凸を形成でき、弾性パッドをパッド取付部に容易に嵌め合わせて固定することができる。その結果、容易ながらもパッド取付部に弾性パッドをよりずれ難くしっかり固定可能な操作パネル操作補助具にすることができる。
【００１６】
［４］本考案の操作パネル操作補助具においては、弾性パッドの先端面に対し本体の先端面が凹んでいることが好ましい。
【００１７】
このように構成することで、操作パネルを弾性パッドで押しても操作パネルに硬質の本体が接触しなくなり、操作パネルに傷を付け難い操作パネル操作補助具にすることができる。
【００１８】
［５］本考案の操作パネル操作補助具においては、弾性パッドは、軸方向に重ね合わされた第１弾性パッドと第２弾性パッドとを有することが好ましい。
【００１９】
このように構成することで、弾性パッドの軸方向の長さが短くなり、同一貫通孔径であれば弾性パッドをパッド取付部に取り付ける際の圧入力を小さくでき、組立性を向上できる。また、嵌め合い強さを大きくするように貫通孔の内径サイズをより小さくしてもよく、その結果、パッド取付部に対し弾性パッドをより強固に固定できるようにもできる。
【００２０】
［６］本考案の操作パネル操作補助具においては、第２弾性パッドの先端面に対し本体の先端面が突出するとともに、第１弾性パッドの先端面に対し本体の先端面が凹んでいることが好ましい。
【００２１】
このように構成することで、たとえ弾性パッドが第１弾性パッドと第２弾性パッドとに分割されているとしても、本体に弾性パッドをしっかり固定できる。また、このように構成することで、操作パネルを第１弾性パッドで押しても操作パネルに硬質の本体が接触しなくなり、操作パネルに傷を付け難い操作パネル操作補助具にすることができる。
【００２２】
［７］本考案の操作パネル操作補助具においては、本体は、根元側の端部にストラップ取付部をさらに有することが好ましい。
【００２３】
このように構成することで、持ち運びの際の利便性が高まり、使用者が日常生活においてさまざまな操作パネルに対し用いやすい操作パネル操作補助具となる。
【考案の効果】
【００２４】
本考案によれば、さまざまな方式を採用する操作パネルの内、大抵の操作パネルに対して使用者が直接触れずに操作することを可能とし、且つ使用者がより安心して使用できる抗菌性の高い操作パネル操作補助具を提供できる。
【図面の簡単な説明】
【００２５】
【図１】実施形態の操作パネル操作補助具を軸方向に対し垂直な方向から見た外観図である。
【図２】図１のＡ−Ａ断面図である。
【考案を実施するための形態】
【００２６】
以下、図面を参照して本考案の一実施形態である操作パネル操作補助具を説明するが、本考案は、これらの実施形態に限定されるわけではない。なお、各図面は必ずしも実際の寸法を厳密に反映したものではない。
【００２７】
［実施形態］
（１．実施形態に係る操作パネル操作補助具１の構成）
図１は、実施形態の操作パネル操作補助具１を軸方向に対し垂直な方向から見た外観図である。図２は、図１のＡ−Ａ断面である。
【００２８】
操作パネル操作補助具１は、使用者が操作パネルに直接触れずに操作パネルを操作するための操作パネル操作補助具である。操作パネル操作補助具１は、図１及び図２に示すように、本体１０と本体１０の先端（後述のパッド取付部１２）に固定される弾性パッド２０とを備えている。
【００２９】
本体１０は、純銅製である。本体の素材については純銅であればよく、無酸素銅（Ｃ１０２０）又はりん脱酸銅（Ｃ１２２０）を採用してもよいが、本実施形態の本体１０は、純度、外観特性、導電性、及び加工性を総合的に勘案して、素材にタフピッチ銅（Ｃ１１００）が採用されている。本体１０は、全体的には円柱形状を有し、自動旋盤加工により形成されている。本体１０は、使用者が把持するための把持部１１、及び把持部１１の先端に繋がるパッド取付部１２、及び根元側の端部に形成されたストラップ取付部１３を有している。なお、２００８年３月、米国環境保護庁（ＥＰＡ）により、「銅、真鍮、ブロンズなどは人体に有害な致死性のある病原体を殺菌し、公衆衛生に効果がある」という表示が法的に認可されている。また、一般社団法人日本銅センターにより、特に純銅（Ｃ１０２０）においては、Ｏ１５７、インフルエンザウイルス、レジオネラ、クリプトスポリジウム、従属栄養細菌に対する抗菌効果があるとされている（「ｈｔｔｐ：／／ｗｗｗ．ｊｃｄａ．ｏｒ．ｊｐ／ｆｅａｔｕｒｅ／ｔａｂｉｄ／８８／Ｄｅｆａｕｌｔ．ａｓｐｘ」参照）。
【００３０】
把持部１１は、使用者が把持し易い外径サイズ及び長さで、且つ表面が全面的に露出し使用者が直接触れることを考慮した表面状態で形成されている。把持部は使用者が把持し易ければ同一外径サイズであっても３次元表面形状であってもよいが、本実施形態の把持部１１は、胴部位１１ａと胴部位１１ｂよりわずかに外径サイズが大きい鍔部位１１ｂを含む段付き円柱形状を有している。把持部１１は、中央部表面に、使用者が把持した時に滑りにくいよう、例えばアヤ目ローレットといった滑り止め１１ｃを有している。
【００３１】
パッド取付部１２は、把持部１１（鍔部位１１ｂ）の先端から軸Ｌに沿って突出する突起である。パッド取付部１２の周囲表面にはネジ山が形成されており、パッド取付部１２は雄ネジ形状を有している。パッド取付部１２の軸Ｌに沿った長さは、後述の弾性パッド２０の軸Ｌに沿った長さより短く、且つ、弾性パッド２０の軸Ｌに沿った長さの半分より長くなるよう設定されている。
【００３２】
ストラップ取付部１３は、根元側の端部において、軸Ｌに対し垂直方向に貫通する貫通孔である。使用者は、この貫通孔にストラップ等を取り付けることができる。
【００３３】
弾性パッド２０は、導電性及び弾性を有するゴム状弾性体である。弾性パッドの材質は、導電性及び弾性を有すれば特に限定されるものではないが、本実施形態の弾性パッド２０の材質は、シリコーンにカーボンブラック、銀粉末、金メッキされたシリカ、金メッキされたグラファイト、又は導電性亜鉛華、等が混入された導電性シリコーンゴムである。弾性パッド２０は中央貫通孔が形成されており、全体的には円筒形状を有している。弾性パッド２０の外径サイズは、本体１０の把持部１１の鍔部位１１ｃの外径サイズと同等に形成されている。弾性パッド２０の中央貫通孔の内径サイズは、本体１０のパッド取付部１２の外径サイズよりわずかに小さく形成されている。弾性パッド２０は、本体１０のパッド取付部１２に中央貫通孔を嵌め込ませて固定されている。弾性パッド２０は、軸Ｌ方向に重ね合わされた先端側の第１弾性パッド２１と根元側の第２弾性パッド２２とに２分割されて構成されている。なお、第１弾性パッド２１と第２弾性パッド２２とは互いに密着し、電気的に接続されている。
【００３４】
上述したように、本体１０のパッド取付部１２の軸Ｌに沿った長さは、弾性パッド２０の軸Ｌに沿った長さより短く、且つ、弾性パッド２０の軸Ｌに沿った長さの半分（第１弾性パッド２１又は第２弾性パッド２２の軸Ｌに沿った長さ）より長くなるよう設定されている。このため、操作パネル操作補助具１は、第２弾性パッドの先端面２２ａに対し本体の先端面１２ａが突出するとともに、第１弾性パッドの先端面２１ａ（弾性パッドの先端面２１ａ）に対し本体の先端面１２ａが凹んだ形態となっている。
【００３５】
（２．実施形態に係る操作パネル操作補助具１の使用方法）
使用者は、エレベータのボタンや銀行のＡＴＭ等の操作パネルを操作する際、操作パネル操作補助具１を用いて、本体１０を指でつまみ（把持し）、エレベータのボタンやＡＴＭのタッチパネルの表面等に対し、先端の弾性パッド２０で押す、又は先端の弾性パッド２０を接触させればよい。たとえ、操作パネルが静電容量の変化を検出する方式のタッチパネルであっても、人体−本体１０−弾性パッド２０−タッチパネル表面と電気的に接続する。
【００３６】
（３．実施形態における作用・効果）
実施形態に係る操作パネル操作補助具１によれば、使用者が把持するための把持部１１、及び把持部１１の先端に繋がるパッド取付部１２を有する本体１０と、弾性を有し本体１０のパッド取付部１２に固定される弾性パッド２０とを備える。このため、操作パネル操作補助具１の使用者は、把持部１１を把持し、先端のパッド取付部１２に固定される弾性パッド２０で操作パネルに触れて入力すればよいことから、操作パネルに対して直接触れずに操作することができるようになる。
【００３７】
また、操作パネル操作補助具１によれば、本体１０が導電性の良い純銅製であり、本体１０のパッド取付部１２に固定される弾性パッド２０が導電性を有し、本体１０と弾性パッド２０とは電気的に接続されている。このため、たとえ静電容量の変化を検出する方式のタッチパネルであっても入力することができるため、さまざまな方式を採用する操作パネルの内、大抵の操作パネルに対して使用者が直接触れずに操作することを可能とする。また、操作パネル操作補助具１によれば、本体１０が抗菌性の高い純銅製であるため、使用者が特に直接触れる本体１０に菌やウイルスが付着したとしても感染性が短時間で不活化されるため、使用者はより安心して使用できる。
【００３８】
その結果、操作パネル操作補助具１は、さまざまな方式を採用する操作パネルの内、大抵の操作パネルに対して使用者が直接触れずに操作することを可能とし、且つ使用者がより安心して使用できる抗菌性の高い操作パネル操作補助具となっている。
【００３９】
操作パネル操作補助具１においては、本体１０の材質がタフピッチ銅である。タフピッチ銅（Ｃ１１００）は、９９．９０％以上の純度を持ち抗菌性が高く、導電性が高いうえ、加工性が良く、外観特性も良好である。このため、操作パネル操作補助具１は、自動旋盤加工により本体１０を形成しやすく、加工費を抑えながらも高級感を有する操作パネル操作補助具となっている。
【００４０】
操作パネル操作補助具１においては、パッド取付部１２は、外周面にネジ形状を有する突起であり、弾性パッド２０は、中央貫通孔が形成されており、パッド取付部１２に中央貫通孔を嵌め込ませて固定されている。このため、操作パネル操作補助具１においては、、突起であるパッド取付部１２の表面に比較的容易に凹凸を形成することができ、弾性パッド２０をパッド取付部１２に容易に嵌め合わせて固定することができる。その結果、操作パネル操作補助具１は、容易ながらもパッド取付部１２に弾性パッド２０をよりずれ難くしっかり固定可能な操作パネル操作補助具となっている。
【００４１】
操作パネル操作補助具１においては、弾性パッドの先端面２１ａに対し本体１０の先端面１２ａが凹んでいる。このため、操作パネル操作補助具１は、操作パネルを弾性パッド２０で押しても操作パネルに硬質の本体１０が接触しなくなり、操作パネルに傷を付け難い操作パネル操作補助具となっている。
【００４２】
操作パネル操作補助具１においては、弾性パッド２０は、軸方向に重ね合わされた第１弾性パッド２１と第２弾性パッド２２と有する。このため、操作パネル操作補助具１は、弾性パッド２１，２２の軸方向の長さが短く、弾性パッド２１，２２をパッド取付部１２に取り付ける際の圧入力を小さくでき、組立性が良い。また、操作パネル操作補助具１は、嵌め合い強さを大きくするように弾性パッド２１，２２の貫通孔の内径サイズをより小さくしてもよく、その結果、パッド取付部１２に対し弾性パッド２１，２２をより強固に固定できるよう構成することもできる。
【００４３】
操作パネル操作補助具１においては、第２弾性パッドの先端面２２ａに対し本体の先端面１２ａが突出するとともに、第１弾性パッドの先端面２１ａに対し本体の先端面１２ａが凹んでいる。このため、操作パネル操作補助具１は、弾性パッド２０が第１弾性パッド２１と第２弾性パッド２２とに分割されている構成でるが、本体１０に弾性パッド２０をしっかり固定できる操作パネル操作補助具となっている。また、操作パネル操作補助具１は、操作パネルを第１弾性パッド２１で押しても操作パネルに硬質の本体１０が接触しなく、操作パネルに傷を付け難い操作パネル操作補助具となっている。
【００４４】
操作パネル操作補助具１においては、本体１０は、根元側の端部にストラップ取付部１３をさらに有する。このため、操作パネル操作補助具１は、持ち運びの際の利便性が高く、使用者が日常生活においてさまざまな操作パネルに対し用いやすい操作パネル操作補助具となっている。
【００４５】
以上、本考案を上記の実施形態に基づき説明したが、本考案は上記の実施形態に限定されるものではない。その趣旨を逸脱しない範囲において種々の態様において実施することが可能であり、例えば、次のような変形も可能である。
【００４６】
（１）上記実施形態において記載した構成要素の数、材質、形状、位置、大きさ等は例示であり、本考案の効果を損なわない範囲において変更することが可能である。
【００４７】
（２）上記実施形態の操作パネル操作補助具１においては、本体１０に突起（パッド取付部１２）が形成され、弾性パッド２０に孔（貫通孔）が形成され、突起と孔とを嵌め合わせて本体１０と弾性パッド２０とを一体化させているが、本考案はこれに限定されるものではない。例えば、本体に孔が形成され、弾性パッドに突起が形成され、突起と孔とを嵌め合わせて本体と弾性パッドとを一体化させてもよい。
【００４８】
（３）上記実施形態の操作パネル操作補助具１においては、弾性パッド２０が本体１０に特に接着剤等を用いずに嵌め合いだけで固定されていたが、弾性パッド２０は、接着剤を介して本体１０に固定されていてもよい。この場合、接着剤として導電性接着剤を用いることが好ましい。
【００４９】
（４）上記実施形態の操作パネル操作補助具１においては、パッド取付部１２の表面にネジ山（雄ネジ）が形成されているが、本考案はこれに限定されるものではない。例えば、多少弾性パッド２０が本体から脱落し易くなってしまうが、パッド取付部にはネジ山が形成されていなくてもよい。また、例えば、パッド取付部には１又は複数の環状の山が形成されていてもよい。また、本体に孔が形成され、弾性パッドに突起が形成され、突起と孔とを嵌め合わせて本体と弾性パッドとを一体化させる場合に、パッド取付部には表面に雌ネジが形成されていてもよい。
【００５０】
（５）上記実施形態の操作パネル操作補助具１においては、ストラップ取付部１３として貫通孔が形成されていたが、本考案はこれに限定されるものではない。例えば、操作パネル操作補助具は、ストラップ取付部として根元側の端部に雄ネジ形状が形成され、雌ネジ形状を有するストラップと接続可能に構成されていてもよい。また、例えば、操作パネル操作補助具は、ストラップ取付部として根元側の端部に強力な磁石が固定され、金属を有するストラップと接続可能に構成されていてもよい。
【００５１】
（６）上記実施形態の操作パネル操作補助具１においては、弾性パッド２０が第１弾性パッド２１と第２弾性パッド２２とに二分割で構成されていたが、本考案はこれに限定されるものではない。例えば、弾性パッドは、特に分割されてなく、１部品であってもよい。また、例えば、弾性パッドは、互いに電気的に接続可能な３以上の部品に分割されていてもよい。
【００５２】
（７）上記実施形態の操作パネル操作補助具１においては、弾性パッド２０に中央貫通孔形成されているため、先端側から見て、本体１０の端面が露出しているが、本考案はこれに限定されるものではない。例えば、操作パネル操作補助具は、弾性パッドに形成されるのが有底孔であり、本体の突起と弾性パッドの有底孔とを嵌め合わせて固定されているものであってもよい。
【符号の説明】
【００５３】
１‥操作パネル操作補助具、１０‥本体、１１‥把持部、１２‥パッド取付部、１２ａ‥本体の先端面、１３‥ストラップ取付部、２０‥弾性パッド、２０ａ‥凹み、２１‥第１弾性パッド、２１ａ‥第１弾性パッドの先端面（弾性パッドの先端面）、２２‥第２弾性パッド、２２ａ‥第２弾性パッドの先端面
【図１】
0003228275.tif 000003
【図２】
0003228275.tif 000004